(57)【要約】  【課題】  前枠の前面部を開閉可能に覆うカバー部材の裏側面から引き出される配線が、該前枠とカバー部材との間に挟み込まれるのを確実に防止できる遊技機を提供する。  【解決手段】  図４（Ａ）に示すように、プレート１６を閉じた場合には、該回動案内板３５の他方の短辺側端縁部は、捩りコイルバネ３７によって外側方向に付勢されているため、回動案内板３５の内側平板部が配線３０の外側面に対向した状態で、開口部２０の内側面上を摺動移動して、該開口部２０の内側面に穿設される下部貫通孔２８内に進入する。また、図４（Ｂ）に示すように、プレート１６を矢印Ｘ３方向に開いた場合には、該回動案内板３５の他方の短辺側端縁部は、開口部２０の内側面に達っすると共に、回動案内板３５の内側平板部は、配線３０の外側面に対向している。また、配線３０に取り付けられたストッパ４１は、前枠３の下部貫通孔２８の裏側端面部に当接されている。  【選択図】  図４
2005066165.tif 000002
【特許請求の範囲】
【請求項１】
前枠と、前記前枠の一側端部に開閉可能に取り付けられて該前枠の前面部を覆うカバー部材と、前記カバー部材に配置される電気機器と、を備えた遊技機において、
前記前枠は、該前枠の一側端部の内側部分に穿設されて該前枠の表側から裏側に前記電気機器の配線が挿通される第１貫通孔を有し、
前記カバー部材は、該カバー部材を閉じた場合に、前記第１貫通孔に対向するように裏側面に穿設されて、前記配線が挿通される第２貫通孔と、
前記第２貫通孔内で一方の端縁部が回動可能に支持され、他方の端縁部が裏面側方向に所定長さ延出される配線案内部材と、
前記配線案内部材を外側方向へ回動するように付勢する付勢手段と、を有し、
前記配線は、前記第２貫通孔の前記配線案内部材よりも内方側に挿通されていることを特徴とする遊技機。
【請求項２】
前記カバー部材は、一側端を回動自在に取り付けられて略中央部に遊技領域を視認可能とする窓部を有する前面カバー部材を含むことを特徴とする請求項１に記載の遊技機。
【請求項３】
前記カバー部材は、一側端を回動自在に取り付けられて払い出される賞球を受ける上側球貯留部材を含むことを特徴とする請求項１又は請求項２に記載の遊技機。
【請求項４】
前記配線は、前記カバー部材を開いた場合に、該配線の前記第１貫通孔からの前面側方向への引き出し長さを規制する引出規制部材が設けられていることを特徴とする請求項１乃至請求項３のいずれかに記載の遊技機。
【請求項５】
前記付勢手段は、捩りコイルバネを含むことを特徴とする請求項１乃至請求項４のいずれかに記載の遊技機。
【請求項６】
前記付勢手段は、引張りコイルバネを含むことを特徴とする請求項１乃至請求項４のいずれかに記載の遊技機。
【発明の詳細な説明】
【技術分野】
【０００１】
本発明は、前枠と、この前枠の一側端部に開閉可能に取り付けられて該前枠の前面部を覆うカバー部材とが設けられた遊技機に関するものである。
【背景技術】
【０００２】
従来より、前枠と、この前枠の一側端部に開閉可能に取り付けられて該前枠の前面部を覆うカバー部材とが設けられた遊技機に関し種々提案されている。
例えば、前枠と、遊技板の下側に位置してその遊技板の下辺を受ける下部遊技板と、この前枠と下部遊技板の間隔を保つ桟部材とを有するパチンコ機において、この桟部材の一部に、下部遊技板の裏側から表側に配線を導くための凹欠部を形成したパチンコ機が提案されている（例えば、特許文献１参照。）。
これにより、下部遊技板の裏面の一部に小さい透孔を穿設することが可能である場合には、凹欠部と透孔とを接続させることによって、透孔の間口を大きく広げることができる。従って、大きなコネクタが付いた配線でも楽に通すことができる。
ここで、従来の上記パチンコ機を構成する前枠は、後記の特許文献１の図６乃至図９に記載の前枠４に相当する。また、該パチンコ機を構成する下部遊技板は、後記特許文献１の図６乃至図９に記載の下部遊技板２０に相当する。また、該パチンコ機を構成する桟部材は、後記特許文献１の図６乃至図９に記載の桟部材２０ｃに相当する。また、該パチンコ機を構成する凹欠部は、後記特許文献１の図６乃至図９に記載の凹欠部３５に相当する。また、該パチンコ機を構成する配線は、後記特許文献１の図６乃至図９に記載のケーブル３３に相当する。
【特許文献１】特開平４−３６７６８３号公報（段落（００１０）〜（００２３）、図６〜図９）
【発明の開示】
【発明が解決しようとする課題】
【０００３】
上述したパチンコ機では、前枠の中央部に窓孔が開口され、この窓孔の一側端部に上球皿が配置される前面板が開閉自在に装着されているため、この前面板と前枠との間に配線用ケーブルが挟み込まれることはない。
しかしながら、前枠の一側端部に開閉可能に取り付けられて該前枠の前面部を覆うカバー部材を設けた場合には、このカバー部材の裏側周辺部と前枠の前面側周辺部とが重なり合うため、このカバー部材の裏側周辺部の近傍位置から引き出される配線が、前枠とカバー部材との間に挟み込まれ、断線などが発生する虞があるという問題がある。
【０００４】
そこで、本発明は、上述した問題点を解決するためになされたものであり、前枠の一側端部に回動自在に取り付けられて、該前枠の前面部を開閉可能に覆うカバー部材を設けた場合に、カバー部材の裏側周辺部と前枠の前面側周辺部とが重なり合っても、このカバー部材の裏側周辺部の近傍位置から引き出される配線が、前枠とカバー部材との間に挟み込まれるのを確実に防止できる遊技機を提供することを目的とする。
【課題を解決するための手段】
【０００５】
前記目的を達成するため請求項１に係る遊技機は、前枠と、前記前枠の一側端部に開閉可能に取り付けられて該前枠の前面部を覆うカバー部材と、前記カバー部材に配置される電気機器と、を備えた遊技機において、前記前枠は、該前枠の一側端部の内側部分に穿設されて該前枠の表側から裏側に前記電気機器の配線が挿通される第１貫通孔を有し、前記カバー部材は、該カバー部材を閉じた場合に、前記第１貫通孔に対向するように裏側面に穿設されて、前記配線が挿通される第２貫通孔と、前記第２貫通孔内で一方の端縁部が回動可能に支持され、他方の端縁部が裏面側方向に所定長さ延出される配線案内部材と、前記配線案内部材を外側方向へ回動するように付勢する付勢手段と、を有し、前記配線は、前記第２貫通孔の前記配線案内部材よりも内方側に挿通されていることを特徴とする。
【０００６】
このような特徴を有する請求項１に係る遊技機においては、前枠は該前枠の一側端部に開閉可能に取り付けられたカバー部材によって前面部が覆われている。また、この前枠の一側端部の内側部分には、カバー部材に配置される電気機器の配線が該前枠の表側から裏側に挿通される第１貫通孔が穿設されている。一方、カバー部材には、該カバー部材を閉じた場合に、前枠の第１貫通孔に対向するように裏側面に配線が挿通される第２貫通孔が穿設されている。また、この第２貫通孔には、配線案内部材の一方の端縁部が回動可能に支持されると共に、他方の端縁部が裏面側方向に所定長さ延出される配線案内部材が設けられている。また、この配線案内部材は、付勢手段によって外側方向に回動するように付勢されている。また、カバー部材に配置される電気機器の配線は、第２貫通孔の配線案内部材よりも内方側に挿通されている。
【０００７】
また、請求項２に係る遊技機は、請求項１に記載の遊技機において、前記カバー部材は、一側端を回動自在に取り付けられて略中央部に遊技領域を視認可能とする窓部を有する前面カバー部材を含むことを特徴とする。
【０００８】
このような特徴を有する請求項２に係る遊技機では、カバー部材には、遊技者側の前面側にて開閉可能となるように一側端を回動自在に取り付けられて略中央部に遊技領域を視認可能とする窓部を有する前面カバー部材が含まれている。よって、この前面カバー部材に配置された電気機器の配線は、裏側面に穿設された第２貫通孔に配設される配線案内部材の内方側に挿通され、更に、前枠の第１貫通孔に挿通されている。
【０００９】
また、請求項３に係る遊技機は、請求項１又は請求項２に記載の遊技機において、前記カバー部材は、一側端を回動自在に取り付けられて払い出される賞球を受ける上側球貯留部材を含むことを特徴とする。
【００１０】
このような特徴を有する請求項３に係る遊技機では、カバー部材には、遊技者側の前面側にて開閉可能となるように一側端を回動自在に取り付けられて払い出される賞球を受ける上側球貯留部材が含まれている。よって、この上側球貯留部材に配置された電気機器の配線は、裏側面に穿設された第２貫通孔に配設される配線案内部材の内方側に挿通され、更に、前枠の第１貫通孔に挿通されている。
【００１１】
また、請求項４に係る遊技機は、請求項１乃至請求項３のいずれかに記載の遊技機において、前記配線は、前記カバー部材を開いた場合に、該配線の前記第１貫通孔からの前面側方向への引き出し長さを規制する引出規制部材が設けられていることを特徴とする。
【００１２】
このような特徴を有する請求項４に係る遊技機では、配線には、カバー部材を開いた場合に、該配線の第１貫通孔からの前面側方向への引き出し長さを規制する引出規制部材が設けられ、前枠の前面側方向への引き出し長さが規制される。
【００１３】
また、請求項５に係る遊技機は、請求項１乃至請求項４のいずれかに記載の遊技機において、前記付勢手段は、捩りコイルバネを含むことを特徴とする。
【００１４】
このような特徴を有する請求項５に係る遊技機では、付勢手段には、捩りコイルバネが含まれている。よって、配線案内部材は、捩りコイルバネによって、外方側に回動するように付勢されている。
【００１５】
更に、請求項６に係る遊技機は、請求項１乃至請求項４のいずれかに記載の遊技機において、前記付勢手段は、引張りコイルバネを含むことを特徴とする。
【００１６】
このような特徴を有する請求項６に係る遊技機では、付勢手段には、引張りコイルバネが含まれている。よって、配線案内部材は、引張りコイルバネによって、外方側に回動するように付勢されている。
【発明の効果】
【００１７】
請求項１に係る遊技機では、カバー部材に配置される電気機器の配線は、第２貫通孔の配線案内部材よりも内方側に挿通されているため、カバー部材を開いた場合に、第２貫通孔の外方側に生じるこのカバー部材と前枠との一側端部側の重なり合う部分の隙間は、他方の端縁部がカバー部材の裏面側方向に所定長さ延出される配線案内部材によって遮られ、この第２貫通孔の外方側に生じる隙間への配線の進入を防ぐことができ、前枠とカバー部材との重なり合う部分への配線の噛み込み等により発生する該配線の断線を確実に防止することができる。また、カバー部材を開閉する場合にも、付勢手段によって外方側に回動するように付勢される配線案内部材によって、このカバー部材と前枠との一側端部側の重なり合う部分の隙間への配線の進入を防ぐことができ、前枠とカバー部材との重なり合う部分への配線の噛み込み等により発生する該配線の断線を確実に防止することができる。
【００１８】
また、請求項２に係る遊技機では、遊技者側の前面側にて開閉可能となるように一側端を回動自在に取り付けられて略中央部に遊技領域を視認可能とする窓部を有する前面カバー部材に配置された電気機器の配線は、裏側面に穿設される第２貫通孔に配設される配線案内部材の内方側に挿通されるため、前面カバー部材を開いた場合に、第２貫通孔の外方側に生じるこの前面カバー部材と前枠との一側端部側の重なり合う部分の隙間は、他方の端縁部が前面カバー部材の裏面側方向に所定長さ延出される配線案内部材によって遮られ、この第２貫通孔の外方側に生じる隙間への配線の進入を防ぐことができ、前枠と前面カバー部材との重なり合う部分への配線の噛み込み等により発生する該配線の断線を確実に防止することができる。また、前面カバー部材を開閉する場合にも、付勢手段によって外方側に回動するように付勢される配線案内部材によって、この前面カバー部材と前枠との一側端部側の重なり合う部分の隙間への配線の進入を防ぐことができ、前枠と前面カバー部材との重なり合う部分への配線の噛み込み等により発生する該配線の断線を確実に防止することができる。
【００１９】
また、請求項３に係る遊技機では、遊技者側の前面側にて開閉可能となるように一側端を回動自在に取り付けられて払い出される賞球を受ける上側球貯留部材に配置された電気機器の配線は、裏側面に穿設される第２貫通孔に配設される配線案内部材の内方側に挿通されるため、上側球貯留部材を開いた場合に、第２貫通孔の外方側に生じるこの上側球貯留部材と前枠との一側端部側の重なり合う部分の隙間は、他方の端縁部が上側球貯留部材の裏面側方向に所定長さ延出される配線案内部材によって遮られ、この第２貫通孔の外方側に生じる隙間への配線の進入を防ぐことができ、前枠と上側球貯留部材との重なり合う部分への配線の噛み込み等により発生する該配線の断線を確実に防止することができる。また、上側球貯留部材を開閉する場合にも、付勢手段によって外方側に回動するように付勢される配線案内部材によって、この上側球貯留部材と前枠との一側端部側の重なり合う部分の隙間への配線の進入を防ぐことができ、前枠と上側球貯留部材との重なり合う部分への配線の噛み込み等により発生する該配線の断線を確実に防止することができる。
【００２０】
また、請求項４に係る遊技機では、配線には、カバー部材を開いた場合に、該配線の第１貫通孔からの前面側方向への引き出し長さを規制する引出規制部材が設けられているため、カバー部材を開いた時に発生する前枠前面側への配線の弛みを防いで、配線案内部材から配線がはみ出ることを確実に防止でき、第２貫通孔の外方側に生じるこのカバー部材と前枠との一側端部側の重なり合う部分の隙間への配線の進入を防ぎ、配線の噛み込み等により発生する該配線の断線を更に確実に防止することができる。
【００２１】
また、請求項５に係る遊技機では、配線案内部材は、捩りコイルバネによって、外方側に回動するように付勢されているため、配線案内部材を外方側に回動するように付勢する付勢手段を小型化することができ、配線案内部材の小型化を図ることができる。
【００２２】
更に、請求項６に係る遊技機では、配線案内部材は、引張りコイルバネによって、外方側に回動するように付勢されているため、配線案内部材を外方側に回動するように付勢する付勢手段を小型化することができ、配線案内部材の小型化を図ることができる。
【発明を実施するための最良の形態】
【００２３】
以下、本発明に係る遊技機をパチンコ機について具体化した一実施形態を図面を参照して詳細に説明する。
【実施例１】
【００２４】
先ず、本実施形態に係るパチンコ機の概略構成について図１及び図２に基づき説明する。
図１及び図２に示すように、本実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図２においては、カード式球貸機の図示を省略している。パチンコ機１は、木製の外枠２に対して合成樹脂製の前枠３が、前枠取付用ヒンジを構成する上ヒンジ４及び下ヒンジ５を介して外枠２に対して開閉自在に取り付けられている。そして、この前枠３のほぼ上半分の前側には、樹脂製の前面カバー部材７が左端縁部の上下を軸支されて開閉自在に取付けられている。また、この前面カバー部材７のほぼ中央部には略円形の窓部８が開設され、この窓部８の裏側外周縁部に形成されるガラス保持枠９に装着された２枚のガラスを通して遊技領域を見ることができるように構成されている。また、前面カバー部材７の窓部８の前面側外周部には、フルカラーの発光ダイオード（ＬＥＤ）が内蔵され、「当たり」等の発生を報知したり遊技中に光演出をする電飾ランプ１０が取付けられている。また、電飾ランプ１０の左右斜め上側には、フルカラーの発光ダイオード（ＬＥＤ）が内蔵され、遊技中のエラー等を表示する各エラー表示電飾ランプ１１が取付けられている。
【００２５】
また、前面カバー部材７の右側中央部には、前枠３及び前面カバー部材７を施錠する施錠装置（不図示）を操作するための鍵挿入部１２が設けられている。前面カバー部材７を開くためには、この鍵挿入部１２に所定のキーを挿入して所定方向に回せば、施錠装置のロック状態が解除されて、前面カバー部材７のみがオープンされる。
【００２６】
また、この前面カバー部材７の下側には、公知の賞球払出装置（特開平１１−３０９２６５号公報等参照）を介して払い出される賞球を受ける上皿１５がスピーカ１５Ａを内蔵して樹脂製プレート１６に配設されている。また、このプレート１６は、左端縁部の上下を軸支されて、前面カバー部材７を開放後、内側に設けられた不図示のレバーを下げることにより開放できるように取付けられている。また、この上皿１５の右側端縁部の上面部には、カード式球貸機の操作ボタン１５Ｂ、１５Ｃ及びカード残高表示装置１５Ｄが設けられている。そして、その上皿１５の下には、下皿１８が配設される。また、上皿１５に連通する不図示の球送り機構を介して上皿１５のパチンコ球が操作ハンドル１９に連結された不図示の発射装置へ送られるよう構成されている。
【００２７】
また、図２に示すように、前枠３の前面カバー部材７に対向する部分の略中央部には不図示の遊技盤などが着脱可能に配設される正面視略四角形の開口部２０が設けられている。また、この開口部２０の右端縁部には、前面カバー部材７の右端縁部裏側に設けられた各係合爪７Ａが前面側から挿入される各係合孔２１が設けられている。また、係合孔２１の下側には、プレート１６の右端縁部裏側に設けられた係合爪１６Ａが前面側から挿入される係合孔２２が設けられている。
【００２８】
また、この開口部２０の左端縁部内側面の上端部には、正面視略四角形の上部貫通孔２４が穿設されている。一方、前面カバー部材７の前枠３と重なり合わない左端縁部裏側面には、該上部貫通孔２４に対向するように正面視略四角形の貫通孔２５が穿設され、電飾ランプ１０及び各エラー表示電飾ランプ１１を構成するフルカラーＬＥＤが配設される回路基板に接続された配線２６が内側から裏側に引き出され、更に、該上部貫通孔２４に表側から裏側に挿通されている。また、前枠３よりも裏側の部分に挿通された配線２６の所定位置には、前面カバー部材７を開いた際に、上部貫通孔２４から必要以上に該配線２６が表側に引き出されないように、配線２６の引きだし長さを規制するストッパ４１（図４参照。尚、後述のように配線３０に設けられるストッパ４１と同じ構成である。）が設けられている。
【００２９】
また、この開口部２０の左端縁部内側面の下端部には、正面視略四角形の下部貫通孔２８が穿設されている。一方、プレート１６の前枠３と重なり合わない左端縁部裏側面には、該下部貫通孔２８に対向するように正面視略四角形の貫通孔２９が穿設され、スピーカ１５Ａが配設される回路基板や各操作ボタン１５Ｂ、１５Ｃ及びカード残高表示装置１５Ｄが配設される回路基板などに接続された配線３０が内側から裏側に引き出され、更に、該下部貫通孔２８に表側から裏側に挿通されている（図４参照）。また、前枠３よりも裏側の部分に挿通された配線３０の所定位置には、プレート１６を開いた際に、下部貫通孔２８から必要以上に該配線３０が表側に引き出されないように、配線３０の引きだし長さを規制するストッパ４１（図４参照）が設けられている。
また、各貫通孔２５、２９内には、後述のように各配線案内部材３２、３３が配設され、各配線２６、３０は、該各貫通孔２５、２９の各配線案内部材３２、３３よりも内方側に挿通されている（図３参照）。
そして、図１に示すように、前面カバー部材７及びプレート１６を閉じた場合には、開口部２０は、該前面カバー部材７及びプレート１６で覆われるように構成されている。
【００３０】
次に、各配線案内部材３２、３３の構成及び作用について説明する。尚、各配線案内部材３２、３３は、ほぼ同じ構成であるため、プレート１６に穿設された貫通孔２９に設けられる配線案内部材３３について図３及び図４に基づいて説明する。
【００３１】
図３に示すように、配線案内部材３３は、回動案内板３５と、該回動案内板３５の短辺の一方の端縁部に沿って挿通され、この回動案内板３５を貫通孔２９に対して略垂直に支持する支持軸３６と、この支持軸３６の外周部に挿通されて該回動案内板３５が外側方向に回動するように付勢する捩りコイルバネ３７と、から構成されている。
【００３２】
この回動案内板３５は、略長四角形の平板状に形成され、短辺の長さは、貫通孔２９の内側高さ寸法よりも少し短くなるように形成されている。また、一方の短辺側端縁部には、支持軸３６の外径寸法よりも少し大きい内径寸法の貫通孔が該短辺側端縁部に沿って形成されている。また、該回動案内板３５の長辺の長さは、該プレート１６を開いた場合に、貫通孔２９の内側に取り付けられる支持軸３６から開口部２０の内側面に達する長さ寸法に形成されている。また、該回動案内板３５の上側側面部には、捩りコイルバネ３７の一端側が当接されるリブ部３５Ａが外側方向（図３中、上側方向）に延出されている。
そして、回動案内板３５は、一方の短辺側端縁部側に形成される貫通孔に支持軸３６を挿通後、捩りコイルバネ３７を該支持軸３６に挿通して、該捩りコイルバネ３７の一端側をリブ部３５Ａに当接する。その後、該回動案内板３５を貫通孔２９の表側から裏側方向に挿通して、支持軸３６の両端部を貫通孔２９内に固定する。また、該捩りコイルバネ３７の他端側は、貫通孔２９に対向する内側面に当接されている（図４参照）。これにより、回動案内板３５は、捩りコイルバネ３７によって、外方側に回動するように付勢されているため、配線案内部材３３の小型化を図ることができる。同様に、配線案内部材３２の小型化も図ることができる。
【００３３】
従って、図３及び図４に示すように、回動案内板３５は、捩りコイルバネ３７によって外側方向（図４中、各矢印Ｘ１、Ｘ２方向）に回動するように付勢されつつ、支持軸３６によって貫通孔２９内に回動可能に支持される。また、配線３０は、プレート１６の貫通孔２９の回動案内板３５よりも内方側に挿通され、前枠３の下部貫通孔２８に表側から裏側方向に挿通されている。そして、該配線３０の前枠３の裏側の所定位置には、ストッパ４１が取り付けられている。
【００３４】
また、図４（Ｂ）に示すように、プレート１６を矢印Ｘ３方向に開いた場合には、該回動案内板３５の他方の短辺側端縁部は、開口部２０の内側面に達っすると共に、回動案内板３５の内側平板部は、配線３０の外側面に対向している。また、配線３０に取り付けられたストッパ４１は、前枠３の下部貫通孔２８の裏側端面部に当接し、配線３０はほぼ直線状になるように前枠３の前面側に引き出されている。従って、該回動案内板３５から配線３０が上下方向にはみ出ることが防止される。
【００３５】
これにより、プレート１６を開いた場合に、配線３０の外側方向に生じるプレート１６と前枠３との左側端部側の重なり合う部分の隙間４３は、捩りコイルバネ３７によって外側方向に回動するように付勢された回動案内板３５によって遮られるため、この隙間４３への配線３０の進入を防ぐことができ、前枠３とプレート１６との重なり合う部分への配線３０の噛み込み等により発生する該配線３０の断線を確実に防止することができる。
【００３６】
また、同様に、前面カバー部材７を開いた場合には、配線案内部材３２を構成する回動案内板３５の他方の短辺側端縁部は、開口部２０の内側面に達っすると共に、回動案内板３５の内側平板部は、配線２６の外側面に対向している。また、配線２６に取り付けられたストッパ４１は、前枠３の上部貫通孔２４の裏側端面部に当接し、配線２６はほぼ直線状になるように前枠３の前面側に引き出されている。従って、該回動案内板３５から配線２６が上下方向にはみ出ることが防止される。
これにより、前面カバー部材７を開いた場合に、配線２６の外側方向に生じる該前面カバー部材７と前枠３との左側端部側の重なり合う部分の隙間は、捩りコイルバネ３７によって外側方向に回動するように付勢された回動案内板３５によって遮られるため、この隙間への配線２６の進入を防ぐことができ、前枠３と前面カバー部材７との重なり合う部分への配線２６の噛み込み等により発生する該配線２６の断線を確実に防止することができる。
【００３７】
また、図４（Ａ）に示すように、プレート１６を閉じた場合には、該回動案内板３５の他方の短辺側端縁部は、捩りコイルバネ３７によって外側方向に付勢されているため、回動案内板３５の内側平板部が配線３０の外側面に対向した状態で、開口部２０の内側面上を摺動移動して、該開口部２０の内側面に穿設される下部貫通孔２８内に進入する。また、配線３０は、回動案内板３５の内側平板部に対向した状態で、プレート１６を閉じるに従って下部貫通孔２８の後側に押し出される。
【００３８】
これにより、プレート１６を閉じる場合には、配線３０の外側方向に生じるプレート１６と前枠３との左側端部側の重なり合う部分の隙間は、捩りコイルバネ３７によって外側方向に回動するように付勢された回動案内板３５によって遮られるため、この隙間への配線３０の進入を防ぐことができ、前枠３とプレート１６との重なり合う部分への配線３０の噛み込み等により発生する該配線３０の断線を確実に防止することができる。また、同様に、プレート１６を開く場合にも、配線３０の外側方向に生じるプレート１６と前枠３との左側端部側の重なり合う部分の隙間は、捩りコイルバネ３７によって外側方向に回動するように付勢された回動案内板３５によって遮られるため、この隙間への配線３０の進入を防ぐことができ、前枠３とプレート１６との重なり合う部分への配線３０の噛み込み等により発生する該配線３０の断線を確実に防止することができる。
【００３９】
同様に、前面カバー部材７を開閉する場合にも、配線案内部材３２を構成する回動案内板３５の他方の短辺側端縁部は、捩りコイルバネ３７によって外側方向に付勢されているため、回動案内板３５の内側平板部が配線２６の外側面に対向した状態で、開口部２０の内側面上を摺動移動して、該開口部２０の内側面に穿設される上部貫通孔２４内に進入する。また、配線２６は、回動案内板３５の内側平板部に対向した状態で、前面カバー部材７を閉じるに従って上部貫通孔２４の後側に押し出される。
これにより、前面カバー部材７を閉じる場合には、配線２６の外側方向に生じる前面カバー部材７と前枠３との左側端部側の重なり合う部分の隙間は、捩りコイルバネ３７によって外側方向に回動するように付勢された回動案内板３５によって遮られるため、この隙間への配線２６の進入を防ぐことができ、前枠３と前面カバー部材７との重なり合う部分への配線２６の噛み込み等により発生する該配線２６の断線を確実に防止することができる。また、同様に、前面カバー部材７を開く場合にも、配線２６の外側方向に生じる前面カバー部材７と前枠３との左側端部側の重なり合う部分の隙間は、捩りコイルバネ３７によって外側方向に回動するように付勢された回動案内板３５によって遮られるため、この隙間への配線２６の進入を防ぐことができ、前枠３と前面カバー部材７との重なり合う部分への配線２６の噛み込み等により発生する該配線２６の断線を確実に防止することができる。
【００４０】
ここで、前枠３は、前枠として機能する。また、前面カバー部材７、上皿１５及びプレート１６は、カバー部材を構成する。また、上部貫通孔２４及び下部貫通孔２８は、第１貫通孔として機能する。また、各貫通孔２５、２９は、第２貫通孔として機能する。また、各配線２６、３０は、電気機器の配線として機能する。また、各配線案内部材３２、３３は、配線案内部材として機能する。また、窓部８は、前面カバー部材の窓部として機能する。また、捩りコイルバネ３７は、付勢手段として機能する。また、上皿１５及びプレート１６は、上側球貯留部材を構成する。また、スピーカ１５Ａ、各操作ボタン１５Ｂ、１５Ｃ及びカード残高表示装置１５Ｄは、上側球貯留部材に配置される電気機器を構成する。また、前面カバー部材７は、前面カバー部材として機能する。また、電飾ランプ１０及び各エラー表示電飾ランプ１１は、前面カバー部材に配置される電気機器を構成する。また、ストッパー４１は、引出規制部材として機能する。
【実施例２】
【００４１】
尚、本発明は、上記実施形態に限定されるものではなく、本発明の要旨を逸脱しない範囲内で種々の改良、変形が可能であることは勿論である。
例えば、図５に示すように、各配線案内部材３２、３３の捩りコイルバネ３７に替えて、各配線案内部材３２、３３の回動案内板３５の上側側面部に一端側が取り付けられ、他端側がプレート１６の内側面に取り付けられた引張りコイルバネ４５を用いてもよい。この引張りコイルバネ４５は、付勢手段として機能する。尚、上記実施形態に係るパチンコ機１と同一符号は、上記第１実施形態に係るパチンコ機１と同一あるいは相当部分を示すものである。これにより、各配線案内部材３２、３３の小型化を図ることができる。
【産業上の利用可能性】
【００４２】
本発明は、パチンコ遊技機、回動式遊技機、じゃん球遊技機など、入賞により所定個数の賞球などが払い出される遊技機に適用できる。
【図面の簡単な説明】
【００４３】
【図１】本実施形態に係るパチンコ機全体を示した斜視図である。
【図２】本実施形態に係るパチンコ機の前面カバー部材及び上皿が配設されるプレートを開いた状態を示す斜視図である。
【図３】本実施形態に係るパチンコ機の上皿が配設されるプレートを開いた状態を示す要部の拡大斜視図である。
【図４】本実施形態に係るパチンコ機の上皿が配設されるプレートの要部を示す図で、（Ａ）はプレートを閉じた時の状態を示す一部断面平面図、（Ｂ）はプレートを開いた時の状態を示す一部断面平面図である。
【図５】他の実施形態に係るパチンコ機の上皿が配設されるプレートの要部を示す図で、（Ａ）はプレートを閉じた時の状態を示す一部断面平面図、（Ｂ）はプレートを開いた時の状態を示す一部断面平面図である。
【符号の説明】
【００４４】
１                  パチンコ機
３                  前枠
７                  前面カバー部材
８                  窓部
１０                電飾ランプ
１１                エラー表示電飾ランプ
１５                上皿
１５Ａ              スピーカ
１５Ｂ、１５Ｃ      操作ボタン
１５Ｄ              カード残高表示装置
２４                上部貫通孔
２５、２９          貫通孔
２６、３０          配線
２８                下部貫通孔
３２、３３          配線案内部材
３５                回動案内板
３６                支持軸
３７                捩りコイルバネ
４１                ストッパ
４５                引張りコイルバネ
【図１】
2005066165.tif 000003
【図２】
2005066165.tif 000004
【図３】
2005066165.tif 000005
【図４】
2005066165.tif 000006
【図５】
2005066165.tif 000007